(57)【要約】  本発明は携帯電話からテレビジョン生放送するためのシステムに関する。本発明のシステムは、ＵＭＴＳ技術を備えた携帯電話（１）と、インターネット上で通話を受信し、ＳＤＩ出力付きカードによってビデオ信号を伝送するためのソフトウェアを有するサーバ（４）と、テレビジョン放送／処理設備（５）とから構成される。本発明によれば、オーディオ信号（６）とビデオ信号（７）は分離される。両方の信号がサーバ（４）に着くと、それらは制作センタ（５）に送られ、そこから、テレビジョン（９）に生放送されるかまたは記録、編集などが行われる。ビデオ通話を使用してイメージおよびオーディオ信号が携帯電話（１）を介して伝送されるとき、システムはこのオーディオおよびビデオ・パケットをＩＰストリームに変換するゲートウェイ（１０）を備え、それにより、それらはインターネット（３）上を移動してサーバ（４）に到達できる。
2009502073.tif 000002
【特許請求の範囲】
【請求項１】
携帯電話をビデオ・カメラとして使用し、中央サーバへ信号を送り、必要に応じて使用（放送、記録、編集など）する３Ｇ−ＵＭＴＳ技術を備えた携帯電話からビデオおよびオーディオ信号をテレビジョンに生放送できるタイプの携帯電話からテレビジョン生放送するためのシステムであって、３Ｇ−ＵＭＴＳ技術を内蔵された携帯電話（１）と、インターネットを介して電話を受けそしてテレビジョン放送設備と互換性のあるＳＤＩ出力を有するカードを介してビデオ信号を放送する適当なソフトウェアを備えたコンピュータ端末により形成されるサーバ（４）と、テレビジョン・ビデオ放送および処理基本設備（５）とから構成され、ＵＭＴＳネットワーク（２）およびインターネット（３）によって、オーディオ信号（６）とビデオ信号（７）を２つの異なる伝送系に分離し、両方の信号がサーバ（４）に入るとすぐに制作センタ（５）に送られそしてそこからテレビジョン画面（９）に生で送るかまたはそれらを記録、編集、などのいずれかに使用できる、携帯電話からテレビジョン生放送するためのシステム。
【請求項２】
オーディオ信号（６）はＧＳＭ技術（８）によって伝送され、ビデオ信号はインターネット（３）を介してＵＤＰ（ユーザ・データグラム・プロトコル；User Datagram Protocol）パケットで伝送される、請求項１記載の携帯電話からテレビジョン生放送するためのシステム。
【請求項３】
オーディオ信号はＧＳＭ音声通信と同様な方式でコード化され、ビデオ信号は９−１０フレーム／秒のレートでＱＣＩＦフォーマットのＭＰＥＧ４企画システムでコード化される、請求項１または２記載の携帯電話からテレビジョン生放送するためのシステム。
【請求項４】
システム内へのビデオ・ゲートウェイ（１０）の組み込みは、ビデオ通話（video-calling）を用いることにより携帯電話（１）を介してイメージおよびオーディオ信号を伝送する場合に、選択的に行われ、そのゲートウェイ（１０）はそれらのオーディオおよびビデオ・パケットをＩＰストリーム（IP stream）に変換し、それにより、それらはインターネット（３）上を移動し、そしてそれを記録し、テレビジョンの標準ビデオ信号に変換するために、信号を受信できる適当なソフトウェアを有するサーバ（４）に到達する、請求項１記載の携帯電話からテレビジョン生放送するためのシステム。
【発明の詳細な説明】
【技術分野】
【０００１】
本発明は、総体的に遠距離通信分野に適用され、特にテレビジョン分野に適用されるものである。
【背景技術】
【０００２】
この技術の状況を観察すると、ブリティッシュ・テレビジョン・チャネル、ＢＢＣが、本発明に関係するタイプ、生放送ではないが、後に伝送されて番組で放送される、３Ｇモバイルに記録されるファイルについて一定の技術を有していることを述べねばなるまい。
【０００３】
加えて、ＵＭＴＳ技術を用いた適用例がある。それは、携帯電話を用いることによりリアルタイムでのビデオ通話（video-calling）を行うことはできるが、テレビジョン設備との互換性がないためにテレビジョンで放送できない。
【０００４】
それ故、適用例が携帯電話からのテレビジョン生放送のためのシステムの存在に気付いていないことを指摘することは価値あることである。
【発明の開示】
【発明が解決しようとする課題】
【０００５】
本願の発明の名称に述べられているように、本発明は携帯電話からのテレビジョン生放送を可能にするシステムに関する。
【０００６】
より詳細には、本発明の目的は、３Ｇ技術と同様に、ＵＭＴＳ技術を備えた携帯電話から送られてくるビデオおよびオーディオ信号をテレビジョンで生放送し、かくして、誰もが「テレビジョン・リポーター」であるように、携帯電話をビデオカメラとして用いることができ、次いで、必要に応じて信号を処理（放送、記録、編集など）できる中央サーバに信号を送信できることにある。
【課題を解決するための手段】
【０００７】
本発明により提案される携帯電話からテレビジョン生放送するためのシステムは、３Ｇ（第３世代）技術を備えた携帯電話が内臓カメラを介して映像をテレビジョンに生放送できる。
【０００８】
この目的のために、本システムは以下の部分で構成される：
−  ＵＭＴＳ（３Ｇ）技術を組み込まれた携帯電話
−  ＵＭＴＳネットワーク
−  インターネット
−  インターネットを介して通話を受信し、ＳＤＩ出力（ＴＶ設備と互換性のあるシステム）を有するカードを介してビデオ信号を放送するサーバ
−  テレビジョン・ビデオ放送および処理設備
【０００９】
本発明のシステムの各部は、携帯電話から送られてきたまたは記録した信号をどのテレビジョン・システムとも互換性のある標準的なビデオ信号に変換するサーバを除いて、現在技術（current technology）の標準的な商用コンポーネントに基づくものである。
【００１０】
かくして本システムを実施するためには、いずれかの３Ｇ携帯電話、ＵＭＴＳネットワーク、インターネットおよび適当なテレビジョン自体の装置を用いることで十分である。
【００１１】
本システムの新機軸は電話通信を２つに分離するように変換することであり、本発明のシステムは、既に実施されているＵＭＴＳビデオ電話技術と異なり、ビデオおよびオーディオ信号のために異なった伝送システムを使用する。オーディオ信号は回線交換網（circuit switching network）を通りビデオ信号はパケット交換網（packet switching network）を通る。
【００１２】
さらに、中央サーバには、携帯電話からの所望の信号を使用する、該サーバが制作センタとして機能できる適当なソフトウェアが備わっている。
【００１３】
オーディオはＧＳＭ技術によって伝送されるのに対し、ビデオはＵＤＰ（ユーザ・データグラム・プロトコル、User Datagram Protocol）パケットでインターネットを介して伝送される。
【００１４】
次に、オーディオはＧＳＭ音声変換と同様な手段でコード化されるのに対し、ビデオはＱＣＩＦフォーマットで標準化されたＭＰＥＧ４を用いて９−１０フレーム／秒のレートでコード化される。
【００１５】
一旦両方の信号がサーバに入ると、それらは必要に応じて使用され、制作センタに送りそしてそこからモバイル・ライブ（mobile live）により制作された記録を送ったり、蓄積したり、編集したりなどする。
【００１６】
本発明のシステムは、ＵＭＴＳ技術に基づいた３Ｇ携帯電話に生じたビデオおよびオーディオ・フラグメント（fragment）またはストリームを受信および記録でき、それにより６つの異なった信号を同時に受信および記録でき、そしてまたナビゲータ、プレイヤ、エディタ等として働く適当なアプリケーション・ソフトウェア（software application）を組み込んでいる。
【００１７】
さらに、選択された信号はＴＶミキサに入れて生放送できるようにするためにリアルタイムでＳＤＩ信号（標準レート、２５フレーム／秒）に変換できる。
【００１８】
それ故、サーバは、インターネット接続およびプロ用ビデオ／オーディオ・カードを有し、それを介していずれのテレビジョン・システム（ＳＤＩ、ＰＡＬまたはＮＴＳＣ、ＳＥＣＡＭ、・・・）とも互換性のある標準的なビデオ信号が与えられる、前記のソフトウェアをインストールされたコンピュータによって形成される。
【００１９】
選択的に、ビデオ通話を用いることによってイメージおよびオーディオを生放送する可能性が備えられており、その場合において、オーディオおよびビデオは共に、それらのオーディオおよびビデオ・パケットをＩＰストリームに変換するビデオ・ゲートウェイに到達するために交換電話網（switched telephone network）を移動し、それにより、インターネット上を移動し、そして、信号を記録してテレビジョンの標準的なビデオ信号に変換するために、信号を受信できる、適当なソフトウェアを有するサーバへ到達できる。
【００２０】
このケースにおいて、いくつかの通信型式が存在しており、オーディオおよびビデオを送信する携帯電話がシグナリング・プロトコルによって３Ｇオペレータに指示し、オーディオおよびビデオ・ストリームを送信するまたはビデオ通話を行うように告げる。
【００２１】
一旦この通信が受け入れられると、両者は送信されるオーディオおよびビデオ・フォーマットの種類に同意することとなる。
【００２２】
その後、異なったフォーマットであってもよいオーディオおよびビデオの送信を最終的に実現するために、送信されるフレームのフォーマットのプロトコルが指示される。
【００２３】
この処理の後、オーディオおよびビデオ・ストリームは、オーディオおよびビデオ・ストリームをＵＤＰパケットに変換するゲートウェイに到達し、それによりインターネットを介してサーバに到達できる。
【００２４】
前記の信号が、インターネット接続およびプロ用ビデオ／オーディオ・カードを有する特定なソフトウェアを組み込まれたサーバに受信されると、受信された信号は、前述のケースのように、いかなるテレビジョン・システムとも互換性のある標準的ビデオ信号が得られることにより、制作センタに送ることができ、そして携帯電話の生情報により制作された記録をそこから送信、記録、編集などに使用することができる。
【発明の効果】
【００２５】
本発明の携帯電話からテレビジョン生放送するためのシステムの主要な利点は、現在存在する技術に基づくものであることであり、それ故、新規な設備を開発する必要はない。
【００２６】
適用例から明らかとなるように、携帯電話の所持者は、中継用ユニットが到着するのを待つことなしに、いかなる出来事も生で記録できるということができる。
【００２７】
携帯電話のカメラによって捕らえられたイメージは制作センタで受信され、そして適当なソフトウェアによっていかなるニュース番組にも生で導入できる。
【００２８】
別の適用例では、救急車に収容された患者にとって、病院に着くまでの干渉（intervention）時間をスピードアップするように使用できる。携帯電話の所持者は患者の負傷箇所を記録する。携帯電話は、適当なプログラム・ソフトウェアを有するコンピュータが配置された病院に信号を送り、それにより、医者は、病院からモニタを介して見るそのイメージに基づいて、救急車の中の医療職員へ適切な指示を与え、それに従った治療を行わせることができる。
【００２９】
このシステムは、既に開発されている技術を使用しそしてテレビ局、通信社などに提供するために大きな投資を必要としないので、携帯電話によってイメージを生放送するための簡単かつ革新的なシステムを用いて、疑うことなく、通信における質的および量的な飛躍を当然前提としている。
【発明を実施するための最良の形態】
【００３０】
上述の説明を補追するためにそして本発明の特徴をよりよく理解するために、添付の図面を参照して、本発明の好適な適用形態について説明する。以下の説明は例示として示すものであり、本発明を限定するものではない。
【００３１】
添付の図面および使用する符号付けにおいて、携帯電話からテレビジョン生放送するためのシステムの好適な実施形態が示されており、それは以下に指摘し記述する部分から構成される。
【００３２】
例えば、図１に示されたダイアグラムでは、携帯電話からテレビジョン生放送するためのシステムは、
−  ＵＭＴＳ（３Ｇ）技術を組み込まれた携帯電話（１）と、
−  ＵＭＴＳネットワーク（２）と、
−  インターネット（３）と、
−  インターネットを介して通話を受信しそしてＳＤＩ出力を有するカードを介してビ      デオ信号を放送するように適当なソフトウェアを備えたコンピュータ端末により形      成されたサーバ（４）と、
−  テレビジョン・ビデオ放送および処理設備（５）と
により形成される。
【００３３】
それ故、本システムの操作は電話での通話を２つに分離することからなり、それにより、オーディオ信号（６）とビデオ信号（７）のために異なった伝送システムを使用する。
【００３４】
かくして、一方では、オーディオ信号（６）がＧＳＭ技術（８）により伝達されるのに対し、ビデオ信号はインターネット（３）を介してＵＤＰ（ユーザ・データグラム・プロトコル）パケットで伝達される。
【００３５】
オーディオ信号がＧＳＭ音声変換と同じ方法でコード化されるのに対し、ビデオ信号はＱＣＩＦフォーマットのＭＰＥＧ４基準を用いて９−１０フレーム／秒でコード化される。
【００３６】
両方の信号がサーバ（４）に入ると、それらは所望に応じて使用され、制作センタ（５）に送られそしてそこからＴＶ画面（９）へ生で送られるか、または記録、編集などが行われる。
【００３７】
図２に示す本発明の第２の実施形態によれば、ビデオ通話を使用することによりイメージおよびオーディオを生放送する可能性が選択的に提供され、このシステムにおいてオーディオ信号およびビデオ信号は共に、ビデオ・ゲートウェイ（１０）に到達するために交換電話網（２）を通って移動し、ビデオ・ゲートウェイ（１０）はそれらのオーディオおよびビデオ・パケットをＩＰストリームに変換し、それにより、インターネット（３）上を移動しそして、信号を記録してテレビジョンの標準的なビデオ信号に変換するために、信号を受信できる適当なソフトウェアを有するサーバに到達する。
【００３８】
かくして、いくつかのタイプの通信が発生する。
【００３９】
オーディオおよびビデオを伝送する携帯電話（１）は、オーディオおよびビデオ・ストリームを伝送するかまたはビデオ通話を行うことが希求されるシグナリング・プロトコルにより３Ｇオペレータに指示する。
【００４０】
この通信が受け入れられると、両者は、送られるオーディオおよびビデオ・フォーマットのタイプについて同意することになる。
【００４１】
送られるフレームのフォーマットのプロトコルは、最終的に送られるオーディオおよびビデオが異なったフォーマットであり得るようにするために、続いて指示される。
【００４２】
この処理の後、オーディオおよびビデオ・ストリームは、オーディオおよびビデオ・ストリームをＵＤＰパケットに変換するゲートウェイ（１０）に到達し、それにより、それらはインターネット（３）を介してサーバ（４）に到達できる。
【００４３】
前述したように、信号がサーバ（４）に受信されると、これらの信号は、前述のケースのように、制作センタやテレビジョン設備（５）に送られ、そこから携帯電話によって実施される視聴者の画面（９）への生中継の記録、蓄積、編集などを行うように使用できる。
【００４４】
サーバ（４）はインターネット接続と、ＳＤＩ、ＰＡＬ、ＮＴＳＣ、ＳＥＣＡＭなどのような、いかなるテレビジョン・システムでも互換性のある標準的なビデオ信号を得られるプロ用ビデオ／オーディオ・カードとを有する特定なソフトウェアを組み込んでいる。
【００４５】
上述のサーバ（４）のためのプログラミング・ソフトウェアは、その他のオプションの間で、受信した通話を保留にすることができそして使用者は提示と記録を同時に開始するかまたは電話を切って取り消すかを選択でき、また、自動応答機能を有することもでき、それにより、後に提示または配信するために、システムが全ての入電する通話自動的に拾いそして受け付ける。
【００４６】
同様に、同時に幾つかの通話の入電を同一または別個のモニタに提示することができ、その継続時間を含み、いずれの通話をも活性化でき、それにより、放送のためにまたはビデオ・レコーダへの記録のためにＰＡＬ／ＮＴＳＣビデオ出力を介してリアル・タイムで提示する。
【００４７】
コンテンツは容易にフォルダに編成でき、ライブラリのコンテンツのローディング、登録、追加、削除およびクリーニングの機能と組み合わされて異なったライブラリに迅速に選択できる。
【００４８】
システムに記録されたコンテンツを提示できる機能がまた用意されている。コンテンツが選択されると、再生／停止できそしてテレビジョンの放送機器を介して外部に放送または記録するためにＰＡＬ／ＮＴＳＣビデオ出力を介してリアルタイムで表示するように活性化できる。
【００４９】
加えて、前述のソフトウェアはＰＡＬ／ＮＴＳＣ出力のためのグラフィック・レイヤを作成でき、そこにおいて、選定されたビデオのＤＶＥに沿ってＪＰＧ、ＢＭＰおよび／またはＴＧＡフォーマットでグラフィックを作成できる。
【００５０】
このソフトウェアはまた、マルチ・モニタまたはウインドウを有するインターフェイスによって異なったビデオを同時に表示でき、その間、本システムの状況に関する情報を示し、次いで最も重要なアクションの軌跡を示すのと同様に、ビデオの放送が本システムで実施される。
【図面の簡単な説明】
【００５１】
【図１】本発明の実施例による携帯電話からテレビジョン生放送するためのシステムの構成を模式的に示すブロック図である。
【図２】ビデオ通話を用いてオーディオおよびビデオ信号を送信する変形例を示す図である。
【図１】
2009502073.tif 000003
【図２】
2009502073.tif 000004
【国際調査報告】
2009502073.tif 000005
2009502073.tif 000006
2009502073.tif 000007
2009502073.tif 000008
2009502073.tif 000009
2009502073.tif 000010
2009502073.tif 000011
2009502073.tif 000012
2009502073.tif 000013